(57)【特許請求の範囲】
【請求項１】
２枚の楔形複屈折結晶板の間に配置した磁性ガーネット単結晶の光透過面にサファイア単結晶板を接触させた偏波無依存型光アイソレータにおいて、
入射側の楔型複屈折結晶板のＣ軸と磁性ガーネット単結晶の入射側に接触させたサファイア単結晶板のＣ軸の向きを一致させるとともに、
出射側の楔型複屈折結晶板のＣ軸と磁性ガーネット単結晶の出射側に接触させたサファイア単結晶板のＣ軸の向きを一致させ、
且つ、前記いずれのサファイア単結晶板のＣ軸が、光透過面内にあることを特徴とする偏波無依存型光アイソレータ。
【請求項２】
入射側の楔型複屈折結晶板のＣ軸と磁性ガーネット単結晶の入射側に接触させたサファイア単結晶板のＣ軸の向き、および出射側の楔型複屈折結晶のＣ軸と磁性ガーネット単結晶の出射側に接触させたサファイア単結晶板のＣ軸の向きのずれが、１度以内であることを特徴とする請求項１に記載の偏波無依存型光アイソレータ。
【請求項３】
磁性ガーネット単結晶とサファイア単結晶板が接着剤にて接合されていることを特徴とする請求項１又は２に記載の偏波無依存型光アイソレータ。
【発明の詳細な説明】
【技術分野】
【０００１】
本発明は、楔型楔型複屈折結晶板を用いた偏波無依存型光アイソレータに関するものであり、さらに詳述すれば磁性ガーネット単結晶をファラデー回転子とし、ファラデー回転子の光吸収に起因する温度上昇により特性劣化や破損の防止を考慮した偏波無依存型光アイソレータに関するものである。
【背景技術】
【０００２】
光アイソレータは、順方向への光信号を通過させ、逆方向からの光信号の通過を防ぐ機能を持つ非可逆光デバイスであり、例えば半導体レーザを光源とする光通信システムにおいて光信号が反射によって光源側に戻り、半導体レーザの発振が不安定となることを防止するために用いられている。
【０００３】
光アイソレータは、半導体レーザモジュールに使用されるような偏波依存型光アイソレータ（以下、「ＰＤＯＩ」と略記する）と、光ファイバアンプの前後で用いられるような偏波無依存型光アイソレータ（以下、「ＰＩＯＩ」と略記する）に大きく分けられる。偏波無依存型光アイソレータでは、通常は偏光子にルチル、ＹＶＯ４、ＬｉＮｂＯ３などの楔形の複屈折結晶板を使用し、２枚の楔形複屈折結晶板の間に、ファラデー回転子として磁性ガーネット単結晶からなる平板を配置している。ここで、ファラデー回転子は偏光を４５度回転させるように調整されており、２枚の楔形複屈折結晶板は、それらの光学軸の方位が互いに４５度ずらして配置されている。なお、偏光子およびファラデー回転子から構成される光学素子部分を非相反部と呼ぶ。
【０００４】
順方向において入射側からの平行入力光は、非相反部の第１の楔形複屈折結晶板によって常光と異常光に分離するが、ファラデー回転子により偏光が４５度回転させられ、且つ第２の楔形複屈折結晶板の光学軸が第１の楔形複屈折結晶板と４５度ずれているため、常光は常光として、異常光は異常光として入射され、それぞれ平行光として第２の楔形複屈折結晶板から出射され光結合される。
【０００５】
逆方向からの光は、第２の楔型複屈折結晶板にて常光と異常光に分離され、ファラデー回転子にて４５度回転された後は、第１の楔形複屈折結晶板には常光は異常光として、異常光は常光として入射されるため第１の楔形複屈折結晶板を出た光は平行光にはならず、光結合されない。このようにして光アイソレータとして機能する。
【０００６】
前記磁性ガーネット単結晶は、近赤外波長域、特に光通信で用いられる波長域（１．３μｍ〜１．６μｍ）においては優れた光学的透明性を示し、数１０ｍＷ程度であれば光の吸収に起因する温度上昇も少なく問題は殆ど無い。
【０００７】
しかしながら、上記波長域よりも短波長域、特にＹＡＧレーザの波長（１．０６μｍ）や光ファイバ増幅器の励起光の波長（１μｍ前後）では、光の吸収が大きくなり数ｍＷのレーザパワーにおいても無視できない温度上昇となる。
【０００８】
上記波長域（１μｍ前後）の光アイソレータに用いられるファラデー回転子としては、常磁性単結晶あるいは常磁性ガラスがあるが、それらを用いるとファラデー回転子の大きさ自体が大きくなるばかりか、前記ファラデー回転子を磁気飽和させるためには大きなマグネットが必要となり、光アイソレータが巨大化してしまう。また、１μｍ帯での光アイソレータには、高出力に耐えられることが要求され始めている。
【０００９】
耐高出力性の光アイソレータとしては、特許文献１においてガーネット単結晶を引き上げる際に使用する非磁性ガーネット基板を残し、他方にも非磁性ガーネット基板を接触、又は接着させて熱伝導性を良くすることによって対処することが開示されている。また、特許文献２によれば、ファラデー回転子の少なくとも１面上に光透過性のサファイア単結晶板のＣ軸を前記ファラデー回転子の光学面に対し垂直となるように接触・接合させ、ファラデー回転子の温度上昇を抑える方法が開示されている。
【特許文献１】特開平７−２８１１２９号公報
【特許文献２】特開２００５−４３８５３号公報
【発明の開示】
【発明が解決しようとする課題】
【００１０】
しかしながら、特許文献１に記載された磁性ガーネット単結晶からなるファラデー回転子の両側面に非磁性ガーネット基板を接触、又は接着させる方法においては、入射できる光のパワーに限界があり、高出力のレーザを入射した場合には、吸収による温度上昇を抑えきることができない。
【００１１】
また、特許文献２に記載されたサファイア単結晶板のＣ軸をファラデー回転子の光学面に対し垂直に接触・接合させた方法は、サファイア単結晶が複屈折性結晶であるが故に、特許文献２に記載されているＰＤＯＩに使用する場合はさほど大きな問題とはならないが、ＰＩＯＩに使用する場合はサファイア単結晶板において消光比の劣化という問題が生じてくる。
【００１２】
Ｃ軸に沿って光が入射した場合には、サファイア単結晶板面内の屈折率は等価であり、消光比は−５５ｄＢ以上得られるはずであるが、入射角が８度以上になれば、入射偏光の状態によっては−２０ｄＢ程度まで落ちてしまう場合がある。偏光子に楔形複屈折結晶板を用いたＰＩＯＩにおいては、２枚の楔型複屈折結晶板間の光は、楔角によっても異なるが、楔型複屈折結晶板に楔角が８度のルチル結晶を用いると約１０度程度傾くため、消光比が−２０ｄＢ以下に劣化し、光アイソレータとしての性能、特にアイソレーションを劣化させてしまう。
【００１３】
なお、サファイア単結晶板の向きを回転させて、傾斜した光をサファイア単結晶板へ垂直に入射させれば、Ｃ軸に沿って光が入射することになるため消光比の劣化は無くなるが、垂直な入射面で反射した光は入射経路を辿り光源側へ戻っていくことになる。光学結晶の表面には反射防止膜が施されるが、透過率を１００％にすることはできないため、上記のようなサファイア単結晶板を回転させる手法により消光比の劣化を防止することは、そもそも反射戻り光を遮断するという光アイソレータの機能を損なうため採用することはできない。
【００１４】
本発明は、上記課題に鑑みてなされてものであり、その目的は高出力の光が入射されても、ファラデー回転子の温度上昇を抑えることが可能であり、アイソレーションの低下を起こさない非相反部を有する偏波無依存型光アイソレータを提供することである。
【課題を解決するための手段】
【００１５】
上記課題を解決するため本発明に係る偏波無依存型光アイソレータは、２枚の楔形複屈折結晶板の間に配置した磁性ガーネット単結晶の光透過面にサファイア単結晶板を接触させた偏波無依存型光アイソレータにおいて、入射側の楔型複屈折結晶板のＣ 軸と磁性ガーネット単結晶の入射側に接触させたサファイア単結晶板のＣ軸の向きを一致させるとともに、出射側の楔型楔型複屈折結晶板のＣ軸と磁性ガーネット単結晶の出射側に接触させたサファイア単結晶板のＣ軸の向きを一致させ、且つ、いずれのサファイア単結晶板のＣ軸が、その光透過面内にあることを特徴とするものである。
【００１６】
また、本発明においては、入射側の楔型複屈折結晶板のＣ軸と磁性ガーネット単結晶の入射側に接触させたサファイア単結晶板のＣ軸の向き、および出射側の楔型楔型複屈折結晶板のＣ軸と磁性ガーネット単結晶の出射側に接触させたサファイア単結晶板のＣ軸の向きのずれが１度以内であることを特徴とし、さらに、本発明では磁性ガーネット単結晶とサファイア単結晶板が接着剤にて接合されていることを特徴とする。
【発明の効果】
【００１７】
本発明により、高出力の光が入射されても、ファラデー回転子の温度上昇を抑えることが可能であり、消光比劣化を起こさない非相反部を有する偏波無依存型光アイソレータを提供することが可能となる。
【発明を実施するための最良の形態】
【００１８】
本発明の実施の形態に係る偏波無依存型光アイソレータにおける非相反部の構成の概略を図１に示す。光の透過方向順に、第１の楔形複屈折結晶板１、第１のサファイア単結晶板２、磁性ガーネット単結晶３、第２のサファイア単結晶板４、第２の楔型複屈折結晶板５の順に配置している。図２は、本発明の実施の形態における光の進行状態を示している。光ファイバ６から出射した順方向の光はレンズ７を介して非相反部に入射する。非相反部への入射光は、第１の楔形複屈折結晶板１によって常光と異常光に分離され、第１のサファイア単結晶板２に入射する。第１のサファイア単結晶板２を通過した光は、磁性ガーネット単結晶３によって偏光面が４５度回転させられた後、第２のサファイア単結晶板４を通過し、第２の楔型複屈折結晶板５に入射する。
【００１９】
ここで、本発明では、第１の楔型複屈折結晶板１のＣ軸と第１のサファイア単結晶板２のＣ軸の向き、および第２の楔型複屈折結晶板５のＣ軸と第２のサファイア単結晶板４のＣ軸の向きがそれぞれ一致しているため、第１の楔型複屈折結晶板１によって分離された常光は第２の楔型複屈折結晶板５においても常光として、第１の楔型複屈折結晶板１によって分離された異常光は第２の楔型複屈折結晶板５においても異常光として入射することになる。そのため、第２の楔型複屈折結晶板５から出射される常光と異常光は平行光となり、レンズ７’により出射側の光ファイバ６’へ結合させることができる。
【００２０】
出射側の光ファイバ６’から戻ってきた逆方向の光は、レンズを通り、第２の楔型複屈折結晶板５において常光と異常光に分離し、磁性ガーネット単結晶の非可逆性により４５度回転される。そして、順方向の場合と同様に、第１の楔型楔型複屈折結晶板１のＣ軸と第１のサファイア単結晶板２のＣ軸の向き、および第２の楔型複屈折結晶板５のＣ軸と第２のサファイア単結晶板４のＣ軸の向きがそれぞれ一致しているため、第２の楔型複屈折結晶板５における常光は第１の楔型複屈折結晶板１では異常光として、第２の楔型複屈折結晶板５における異常光は第１の楔型複屈折結晶板１では常光として入射することになる。そのため、第１の楔型複屈折結晶板１から出射された光は平行光とはならず、入射側の光ファイバ６へ光結合されることはなく、高いアイソレーションが維持される。
【００２１】
また、楔型複屈折結晶板のＣ軸とサファイア単結晶板のＣ軸のずれについては、１度以下が望ましい。サファイア単結晶板自体も楔型複屈折結晶板であるため、楔型複屈折結晶板から出射される光がサファイア単結晶板の結晶軸に沿って入射されなければ、消光比が悪くなり、アイソレーションの劣化につながる。図３は楔型複屈折結晶板のＣ軸とサファイア単結晶板のＣ軸がずれたことによる消光比の変化の表したものであるが、１度を超えてずれると消光比は３０数ｄＢまで落ち、２度ずれると３０ｄＢを割り込んでしまう。さらに、サファイア単結晶板とファラデー回転子は、好ましくは低粘度の接着剤にて接合し、接合部の厚みを１０μｍ未満に抑えて接合することにより、ファラデー回転子で発生した熱をサファイア単結晶板により伝えやすくなるため、密着配置と比べ、より高出力の光に耐えられることが可能となり、好ましい。
【実施例】
【００２２】
磁性ガーネット単結晶は、液相エピタキシャル法で育成したもので、ファラデー回転角が４５度となるように研磨により厚みが調整されている。楔型複屈折結晶板としては、楔角が８度のルチル単結晶を用いた。ルチル単結晶はＹＡＧレーザの波長（１．０６μｍ）の光に対し、常光の屈折率ｎｏ＝２．４８０と異常光の屈折率ｎｅ＝２．７４２を有する。そのため、第１および第２の楔型複屈折結晶板の間の光の経路は、約１３度程度傾いている。また、サファイア単結晶板は厚みが０．５ｍｍの平行平板とし、光透過面内にＣ軸がある。
【００２３】
上記の各単結晶板を、図１に示すように第１の楔型複屈折結晶板、第１のサファイア単結晶板、磁性ガーネット単結晶、第２のサファイア単結晶板、第２の楔型複屈折結晶板の順に配置し、ＰＩＯＩを構成した。第１および第２の楔型複屈折結晶板の傾斜面は、それぞれ磁性ガーネット単結晶とは反対側を向いており、傾斜面同士が平行になるように配置した。なお、図１には記されていないが、磁性ガーネット単結晶の外側には、それぞれの結晶を保持するためのホルダ、及び、磁性ガーネット単結晶を磁気的に飽和させるための磁石が配置されている。また、これらの各単結晶板の光透過面には、使用波長に対する反射防止膜を施してある。
【００２４】
楔型複屈折結晶板のＣ軸の位置は、入射方向から見て、第１の楔型複屈折結晶板はＹ方向から反時計回りに２２．５度、第２の楔型複屈折結晶板はＹ方向から時計回りに２２．５度傾いている。そのため互いのＣ軸の位置は４５度ずれた状態である。また、２枚のサファイア単結晶板のＣ軸は、第１のサファイア単結晶板のＣ軸は第１の楔型複屈折結晶板のＣ軸に合わせ、第２のサファイア単結晶板のＣ軸は第２の楔型複屈折結晶板のＣ軸に合わせてあり、接着剤にて磁性ガーネット単結晶を挟むように接着した。
【００２５】
このように製作した偏波無依存型の光アイソレータに３００ｍＷのＹＡＧレーザ光を入射し、特性を評価したところ、温度に関しては楔形複屈折結晶板には、光の吸収がほとんどないため温度上昇がほとんど無かった。また、磁性ガーネット単結晶についても、密着されたサファイア単結晶板の熱伝導率が高いため、放熱され、温度上昇を特性に影響のない範囲に抑えることができた。そして、相対する楔型複屈折結晶板とサファイア単結晶板のＣ軸が一致しているため、４０ｄＢのアイソレーションを得ることができた。
【産業上の利用可能性】
【００２６】
本発明によれば、高出力の光が入射されても、ファラデー回転子の温度上昇を抑えることができ、光アイソレーション機能の低下の少ない偏波無依存型光アイソレータを提供することができるので、光通信システムなどに大いに利用することができる。
【図面の簡単な説明】
【００２７】
【図１】本発明における非相反部の構成の概略斜視図である。
【図２】本発明における光の進行状況を表す図である。
【図３】楔型複屈折結晶板のＣ軸とサファイア単結晶板のＣ軸がずれたことによる消光比変化を示す図である。
【符号の説明】
【００２８】
１  第１の楔型複屈折結晶板
２  第１のサファイア単結晶板
３  磁性ガーネット単結晶
４  第２のサファイア単結晶板
５  第２の楔型複屈折結晶板
６、６’  光ファイバ
７、７’  レンズ
【図１】
0004696830.tif 000002
【図２】
0004696830.tif 000003
【図３】
0004696830.tif 000004